(57)【要約】【課題】画面表示制御を行う際、その視認性を良好にするとともに操作性を向上させる。【解決手段】上位に位置するメニュー画面から下位に位置するメニュー画面に画面遷移を行う際、下位に位置するメニュー画面に表示されるメニュー項目を徐々にズームアップしつつ所定のサイズまで拡大し、さらに、ズームアップする際メニュー項目を徐々に鮮明な状態とする。そして、最終的に、下位に位置するメニュー画面上に規定された窓枠部に所定のサイズに拡大されたメニュー項目が位置づけられる。【選択図】　　　図４
2004062649.tif 000002
【特許請求の範囲】
【請求項１】
複数の項目を画像表示部に表示する項目表示制御手段と、前記複数の項目に対応して複数の窓枠を前記画像表示部に表示する窓枠表示制御手段とを備え、
前記項目表示制御手段は、前記複数の項目を徐々に拡大して各項目が対応する前記窓枠内に位置するよう表示制御をおこなうことを特徴とする表示制御装置。
【請求項２】
前記項目表示制御手段は、前記複数の項目を徐々に拡大して表示する際、前記各項目を徐々に鮮明な画像として表示制御を行うことを特徴とする請求項１に記載の表示制御装置。
【請求項３】
第１の複数の項目からなる前記画像表示部に表示可能な第１の画面と、
前記第１の画面より下位の階層であって第２の複数の項目と前記複数の窓枠からなる前記画像表示部に表示可能な第２の画面と、
前記第１の画面と前記第２の画面とを選択的に切り換えて前記画像表示部に表示する画面表示制御手段とを備え、
前記画面表示制御手段による前記第１の画面から前記第２の画面への切り換えの際、前記項目表示制御手段が、前記第２の複数の項目を徐々に拡大してその各項目が対応する前記窓枠内に位置するよう表示制御を行うことを特徴とする請求項１又は２に記載の表示制御装置。
【請求項４】
前記画像表示制御手段による前記第１の画面と前記第２の画面との選択的表示を共に指示する第１の操作手段と第２の操作手段とを備え、
前記第１の操作手段による前記画像表示制御手段による前記第１の画面から前記第２の画面への切り換えの際、前記項目表示制御手段が、前記第２の複数の項目を徐々に拡大してその項目が対応する前記窓枠内に位置するよう表示制御を行い、
前記第２の操作手段による前記画像表示制御手段による前記第１の画面から前記第２の画面への切り換えの際、前記項目表示制御手段が、前記第２の複数の項目をその各項目が対応する前記窓枠内に直ちに位置するよう表示制御をおこなうことを特徴とする請求項３に記載の表示制御装置。
【請求項５】
揺動又は回動動作可能で且つ押圧操作可能なスイッチ部を備え、
前記スイッチ部の揺動又は回動動作により、前記第１の画面の前記第１の複数の項目から任意の項目を選択し、前記スイッチ部の押圧操作により、前記画像表示制御手段が前記第１の画面から前記選択した項目に関係する下位の階層の画面である前記第２の画面への切り換えが行われるものであることを特徴とする請求項３に記載の表示制御装置。
【請求項６】
前記スイッチ部の揺動又は回動操作による項目の選択から所定時間以内に前記スイッチ部の押圧操作による第２画面への切り換えが行われる際に、前記項目表示制御手段が、前記第２の複数の項目をその各項目が対応する前記窓枠内に直ちに位置するよう表示制御を行い、
前記スイッチ部の揺動又は回動操作による項目の選択から前記所定時間後に前記スイッチ部の押圧操作による第２画面への切り換えが行われる際に、前記項目表示制御手段が、前記第２の複数の項目を徐々に拡大してその各項目が対応する前記窓枠内に位置するよう表示制御を行うことを特徴とする請求項５に記載の表示制御装置。
【請求項７】
前記項目はメニュー項目であり、前記窓枠内に前記メニュー項目と共に前記メニュー項目に対応する複数のアイコンを表示するアイコン表示制御手段を備えたことを特徴とする請求項１乃至６に記載の表示制御装置。
【請求項８】
前記アイコン表示制御手段は、前記項目表示制御手段の複数の項目の徐々に拡大する表示制御と同様に前記複数のアイコンを徐々に拡大して各アイコンが対応する前記窓枠内に位置するように表示制御を行うことを特徴とする請求項７に記載の表示制御装置。
【請求項９】
前記窓枠は、少なくとも第１の表示枠と該第１の表示枠よりもその幅が狭い第２の表示枠とを備え、
前記項目表示制御手段は、少なくとも前記第２の表示枠内に前記項目を表示し、
前記アイコン表示制御手段は、前記第１の表示枠内に前記アイコンを表示することを特徴とする請求項７又は８に記載の表示制御装置。
【請求項１０】
表示制御装置に用いられる表示制御プログラムであって、
第１の複数の項目からなる第１の画面を画像表示部に表示するステップと、
第１の操作に応じて、前記第１の画面より下位の階層であって第２の複数の項目と複数の窓枠からなる第２の画面を前記画像表示部に表示する際、前記第２の複数の項目を徐々に拡大してその各項目が対応する前記窓枠内に位置するよう表示制御するステップとを有することを特徴とする表示制御プログラム。
【請求項１１】
表示制御装置に用いられる表示制御プログラムであって、
第１の複数の項目からなる第１の画面を画像表示部に表示するステップと、
揺動又は回動操作可能で且つ押圧操作可能なスイッチ部の揺動操作又は回動操作に応じて前記第１の複数の項目から任意の項目を選択するステップと、
前記スイッチ部の押圧操作により、前記選択した項目を決定するステップと、
前記スイッチ部の揺動又は回動操作による項目の選択から所定時間以内に前記スイッチ部の押圧操作による項目の決定がなされたかどうか判断するステップと、
前記画像表示制御手段が前記第１の画面から前記選択した項目に関係する下位の階層であって第２の複数の項目と複数の窓枠からなる第２の画面へ切り換え表示する際、前記判断するステップの判断に応じて、前記第２の複数の項目を徐々に拡大してその各項目が対応する前記窓枠内に位置するよう表示する表示制御と、前記第２の複数の項目をその各項目が対応する前記窓枠内に直ちに位置するよう表示する表示制御とを選択的に動作させるステップとを有することを特徴とする表示制御プログラム。
【発明の詳細な説明】
【０００１】
【発明の属する技術分野】
本発明は、メニュー表示の制御を行う表示制御装置及びこれに用いられる表示制御プログラムに関するものである。
【０００２】
【従来の技術】
一般に、情報処理装置等では、登録されたアプリケーションソフト（以下単にアプリケーションともいう）を表すアイコンとそのアプリケーション名とをセットにして（以下これらセットをメニュー項目と呼ぶ）を画面上に表示して（以下この画面をメニュー画面と呼ぶ）、ユーザがボタン操作又はタッチペン操作（タッチ操作）によって所望のメニュー項目を選択して、選択メニュー項目に対応するアプリケーションを起動するようにしている。
【０００３】
上述のようなメニュー画面を表示制御するものとして、例えば、ＷＯ００／３３５７１公報（以下従来例と呼ぶ）に記載されたものが知られている。ここでは、アイコンを配列したメニュー画面からアイコンを選択して、選択されたアイコンの情報画面に表示を切り替える際、遷移画面を介して表示切り替えを行っており、遷移画面において、選択されたアイコンを徐々に拡大してズームインするようにしている。そして、ズームインしているアイコンを徐々に薄くして情報画面への切り替えを行っている。
【０００４】
さらに、従来例では、情報画面からメニュー画面に切り替える際、情報画面に対応する拡大したアイコンの表示を徐々に縮小してメニュー画面にズームアウトするようにしている。
【０００５】
なお、特開２０００−１０７０２公報には、画面を分割して複数の分割画面を形成して、これら分割画面に機能メニューを割り当てており、スクロールキーの操作に応じて所望のメニューが表示された分割画面を画面の中央に位置づけると共に拡大表示して、メニュー選択を行うことが示されている。
【０００６】
また、特開平８−２６３２５５号公報には、階層レベルの深さに応じてアイコンの大きさを変化させて表示させることが示されており、所望の階層の表示領域を指示して所定の操作を行うと、この所望の階層がズームアップされることが示されている。
【０００７】
【発明が解決しようとする課題】
ところで、携帯情報端末装置（Ｐｅｒｓｏｎａｌ　Ｄｉｇｉｔａｌ　Ａｓｓｉｓｔａｎｔ：ＰＤＡ）では、その操作性が重要視される関係上、物理的な表示画面のサイズが、例えば、大人の掌に納まる程度に限定されるが、メニュー項目を表示させる際、単にメニュー項目を表示したのでは、視認性に乏しく、ユーザにとっても楽しみが少ない。このため、メニュー項目を選択する際の視認性を良好にする必要がある。
【０００８】
前述の従来例等においても、ズームアップ／ズームイン等によって表示画面を拡大／縮小表示しているものの、単にズームアップ／ズームインさせているだけであるので、ＰＤＡのような表示画面サイズが小さい装置においては、ズームアップができないこともあり、その結果、その視認性が劣るばかりでなく、多数のメニュー項目を適切に配置して操作性を向上させることが難しい。
【０００９】
本発明の目的は、視認性に優れしかも操作性の良好な表示制御装置及び表示制御プログラムを提供することにある。
【００１０】
【課題を解決するための手段】
本発明によれば、複数の項目を画像表示部に表示する項目表示制御手段と、前記複数の項目に対応して複数の窓枠を前記画像表示部に表示する窓枠表示制御手段とを備え、
前記項目表示制御手段は、前記複数の項目を徐々に拡大して各項目が対応する前記窓枠内に位置するよう表示制御をおこなうことを特徴とする表示制御装置が得られる。
【００１１】
そして本発明において前記項目表示制御手段は、前記複数の項目を徐々に拡大して表示する際、前記各項目を徐々に鮮明な画像として表示制御を行うようにしている。
【００１２】
また、本発明では、第１の複数の項目からなる前記画像表示部に表示可能な第１の画面と、
前記第１の画面より下位の階層であって第２の複数の項目と前記複数の窓枠からなる前記画像表示部に表示可能な第２の画面と、
前記第１の画面と前記第２の画面とを選択的に切り換えて前記画像表示部に表示する画面表示制御手段とを備え、
前記画面表示制御手段による前記第１の画面から前記第２の画面への切り換えの際、前記項目表示制御手段が、前記第２の複数の項目を徐々に拡大してその各項目が対応する前記窓枠内に位置するよう表示制御を行うようにしている。
【００１３】
本発明によれば、前記画像表示制御手段による前記第１の画面と前記第２の画面との選択的表示を共に指示する第１の操作手段と第２の操作手段とを備え、
前記第１の操作手段による前記画像表示制御手段による前記第１の画面から前記第２の画面への切り換えの際、前記項目表示制御手段が、前記第２の複数の項目を徐々に拡大してその項目が対応する前記窓枠内に位置するよう表示制御を行い、
前記第２の操作手段による前記画像表示制御手段による前記第１の画面から前記第２の画面への切り換えの際、前記項目表示制御手段が、前記第２の複数の項目をその各項目が対応する前記窓枠内に直ちに位置するよう表示制御をおこなうようにしている。
【００１４】
また本発明では、揺動又は回動動作可能で且つ押圧操作可能なスイッチ部を備え、
前記スイッチ部の揺動又は回動動作により、前記第１の画面の前記第１の複数の項目から任意の項目を選択し、前記スイッチ部の押圧操作により、前記画像表示制御手段が前記第１の画面から前記選択した項目に関係する下位の階層の画面である前記第２の画面への切り換えが行われるものであることを特徴とする表示制御装置が得られる。
【００１５】
本発明では、前記スイッチ部の揺動又は回動操作による項目の選択から所定時間以内に前記スイッチ部の押圧操作による第２画面への切り換えが行われる際に、前記項目表示制御手段が、前記第２の複数の項目をその各項目が対応する前記窓枠内に直ちに位置するよう表示制御を行い、
前記スイッチ部の揺動又は回動操作による項目の選択から前記所定時間後に前記スイッチ部の押圧操作による第２画面への切り換えが行われる際に、前記項目表示制御手段が、前記第２の複数の項目を徐々に拡大してその各項目が対応する前記窓枠内に位置するよう表示制御を行うようにしている。
【００１６】
本発明では、前記項目はメニュー項目であり、前記窓枠内に前記メニュー項目と共に前記メニュー項目に対応する複数のアイコンを表示するアイコン表示制御手段を備えている。
【００１７】
また本発明では、前記アイコン表示制御手段は、前記項目表示制御手段の複数の項目の徐々に拡大する表示制御と同様に前記複数のアイコンを徐々に拡大して各アイコンが対応する前記窓枠内に位置するように表示制御を行っている。
【００１８】
本発明によれば、前記窓枠は、少なくとも第１の表示枠と該第１の表示枠よりもその幅が狭い第２の表示枠とを備え、
前記項目表示制御手段は、少なくとも前記第２の表示枠内に前記項目を表示し、
前記アイコン表示制御手段は、前記第１の表示枠内に前記アイコンを表示するようにしている。
【００１９】
本発明によれば、表示制御装置に用いられる表示制御プログラムであって、
第１の複数の項目からなる第１の画面を画像表示部に表示するステップと、
第１の操作に応じて、前記第１の画面より下位の階層であって第２の複数の項目と複数の窓枠からなる第２の画面を前記画像表示部に表示する際、前記第２の複数の項目を徐々に拡大してその各項目が対応する前記窓枠内に位置するよう表示制御するステップとを有することを特徴とする表示制御プログラムが得られる。
【００２０】
また本発明によれば、表示制御装置に用いられる表示制御プログラムであって、
第１の複数の項目からなる第１の画面を画像表示部に表示するステップと、
揺動又は回動操作可能で且つ押圧操作可能なスイッチ部の揺動操作又は回動操作に応じて前記第１の複数の項目から任意の項目を選択するステップと、
前記スイッチ部の押圧操作により、前記選択した項目を決定するステップと、
前記スイッチ部の揺動又は回動操作による項目の選択から所定時間以内に前記スイッチ部の押圧操作による項目の決定がなされたかどうか判断するステップと、
前記画像表示制御手段が前記第１の画面から前記選択した項目に関係する下位の階層であって第２の複数の項目と複数の窓枠からなる第２の画面へ切り換え表示する際、前記判断するステップの判断に応じて、前記第２の複数の項目を徐々に拡大してその各項目が対応する前記窓枠内に位置するよう表示する表示制御と、前記第２の複数の項目をその各項目が対応する前記窓枠内に直ちに位置するよう表示する表示制御とを選択的に動作させるステップとを有することを特徴とする表示制御プログラムが得られる。
【００２１】
【発明の実施の形態】
以下、本発明について図面を参照して説明する。なお、図示の例における構成部品の寸法、材質、形状、その相対配置などは特に特定的な記載がない限りは、この発明の範囲をそれのみに限定する趣旨ではなく単なる説明例に過ぎない。
【００２２】
まず、図１を参照して、図示の携帯情報端末装置（ＰＤＡ）は、ユーザが手のひらに把持できる大きさであり、外装ケース１１の前面には、ほぼその全面にわたってタッチパネル１２ａを備える液晶パネル１２が配置されている（タッチパネル１２ａは、例えば、液晶パネル１２の表面に配置されている）。さらに、外装ケース１１には、後述するように、コントロールスイッチ（以下サイドコントローラと呼ぶ）１３、エスケープスイッチ１４、電源オン／オフスイッチ（以下電源スイッチと呼ぶ）１５、外部メモリ媒体が挿入される挿入スロット１６、各種データの送受信等を行う際に用いられる外部接続ターミナル１７、及びタッチペン（スタイラスペン）１８を収納するための収納部１９等が設けられている。
【００２３】
図１に示すように、サイドコントローラ１３、エスケープスイッチ１４、及び電源スイッチ１５は外装ケース１１の側面に一列に配置されており、図示の例では、図中上側からサイドコントローラ１３、エスケープスイッチ１４、及び電源スイッチ１５の順に配置されている。そして、サイドコントローラ１３は外装ケース１１を液晶パネル１２が正面にくるようにして、例えば、左手で把持した際に、サイドコントローラ１３が左手の親指が位置する可能性が高い位置に配置される。
【００２４】
サイドコントローラ１３の上側には外方向に延びる突起部１１ａが形成されており、サイドコントローラ１３の一部は外装ケース１１の側面に露出している。サイドコントローラ１１は図中実線矢印Ａで示す方向（上下方向）に所定の範囲で揺動可能（回動可能）に、外装ケース１１の正面（前面）から裏面方向に延びる軸体（図示せず）に支持されるとともに、軸体に直交する方向（図中側面から内側に向かう方向）に押圧可能（実線矢印Ｂ）に支持されている。この回動（揺動）範囲は、左手の親指による略一回の押し上げ又は押し下げ操作で回動（揺動）操作可能な範囲に制限されている。そして、サイドコントローラ１３の露出面には、例えば、波形の突起状部１３ａが形成されている。
【００２５】
前述のように、サイドコントローラ１３は、例えば、左手親指で回動（揺動）操作又は押圧操作される。この際、左手親指は突起状部１３ａに触れることになる。サイドコントローラ１３は操作されない状態においては所定の位置（以下基準位置と呼ぶ）に位置しており、左手親指で基準位置から上方向に押し上げ操作すると、所定の回動量（揺動量）だけサイドコントローラ１３は回動（揺動）してそれ以上回動（揺動）しない。そして、左手親指をサイドコントローラ１３から放すと（つまり、サイドコントローラ１３を回動（揺動）するための力をなくすと）、サイドコントローラ１３は自動的に基準位置に復帰する。
【００２６】
同様に、左手親指で基準位置から下方向に押し下げ操作すると、所定の回動量（揺動量）だけサイドコントローラ１３は回動（揺動）してそれ以上回動（揺動）しない。そして、左手親指をサイドコントローラ１３から放すとサイドコントローラ１３は自動的に基準位置に復帰する。なお、押圧操作は基準位置においてのみ行うことができる。また、サイドコントローラ１３は上述のように、ＰＤＡ自体を保持している左手親指で操作するため、この親指の動きは制限を受け、複雑な操作は困難となっている。従って、より複雑な操作を必要とする回動操作よりも揺動操作の方が操作しやすいため、サイドコントローラ１３は好ましくは揺動操作とすべきである。
【００２７】
サイドコントローラ１３は前述の回動操作（揺動操作）又は押圧操作に応じて操作信号を送出し、この操作信号に応じて、後述するように、各種処理が実行される。
【００２８】
前述のように、サイドコントローラ１３の下側にはエスケープスイッチ１４が配置され、エスケープスイッチ１４の下側には、電源スイッチ１５が配置され、電源スイッチ１５の表面には複数の点状突起が形成されている。そして、これらサイドコントローラ１３、エスケープスイッチ１４、及び電源スイッチ１５は、例えば、左手親指で操作できる位置に配置される。
【００２９】
なお、図示の例では、エスケープスイッチ１４は押圧操作され（実線矢印Ｃ）、これによって、エスケープ（ＥＳＣ）信号が送出され、後述するようにして、エスケープ動作が行われる。電源スイッチ１５はスライド操作（実線矢印Ｄ）される（図中上側に押し上げると電源オンとなり、電源スイッチ１５は元の位置に戻る。そして、電源オンの状態で上側に押し上げると電源オフとなり、電源スイッチ１５は元の位置に戻る）。
【００３０】
外部接続ターミナル１７によって、図示のＰＤＡは、例えば、通信機能を備えた専用の充電装置（所謂クレイドル装置）と接続することによって、パーソナルコンピュータ等とデータの送受信を行うことができる。また、外部接続ターミナル１７によって充電を行うことができる。液晶パネル１２は、例えば、カラー液晶ディスプレイであり、必要に応じてバックライトが備えられる。タッチパネル１２ａは、例えば、タッチペン１８でタッチ（タップ）した際、その接触位置（タッチ位置）及び接触軌跡等を検出するタッチセンサを有している。
【００３１】
次に図２を参照して、図示のＰＤＡは、中央処理装置（ＣＰＵ）２１を有しており、ＲＯＭ等の記憶部２２に格納された制御プログラムに応じてＰＤＡ全体の制御を行うとともに、記憶部２２に格納されたアプリケーションプログラムに応じて後述する各種処理を実行する。なお、アプリケーションプログラムは挿入スロット１６に挿入される外部メモリ媒体から取り込まれる場合もある。さらに、ＣＰＵ２１にはＲＡＭ等の書き込み・読み出し可能な記憶部２２ａが接続されている（記憶部２２ａは電源がオフされてもその記憶した内容は消去されない）。
【００３２】
図示のように、ＣＰＵ２１にはサイドコントローラ操作検出部２３を介してサイドコントローラ１３が接続されるとともに、エスケープスイッチ操作検出部２４を介してエスケープスイッチ１４が接続される。さらに、ＣＰＵ２１には電源スイッチ操作検出部２５を介して電源スイッチ１５が接続されている。また、ＣＰＵ２１にはタッチパネル操作検出部２６を介してタッチパネル１２ａが接続されるとともに、液晶パネル駆動部２７を介して液晶パネル１２が接続されている。
【００３３】
図示のＰＤＡにはメール送受信部（メール送受信機能）２８が備えられており、このメール送受信部２８はＣＰＵ２１に接続されている。そして、メール送受信部２８は、例えば、携帯電話機等の通信カード機器等（図示せず）と挿入スロット１６により接続されて、通信機器を介してメールの送受を行う。そして、メールの送信及び受信の都度、ＣＰＵ２１は送信メール及び受信メールを記憶部２２ａに記録する。これら送信メール及び受信メールは、記憶部２２ａから読み出して閲覧することができる。
【００３４】
いま、ＰＤＡが電源オフ状態である際に、電源スイッチ１５が押し上げ操作されると、電源スイッチ操作検出部２５ではこの押し上げ操作を検知して電源スイッチ１５の操作信号をＣＰＵ２１に与える。ＣＰＵ２１では電源スイッチ操作信号に応答して、ＰＤＡを電源オン状態とする。そして、電源がオンとなると、ＣＰＵ２１は液晶パネル駆動部２７を駆動制御して液晶パネル１２上にアプリケーションプログラム（アプリケーション）の一つである初期画面（メニュー画面、以下このメニュー画面をランチャ画面と呼ぶ）を表示する。
【００３５】
図３（ａ）を参照して、ランチャ画面には、メニュー項目として、例えば、メール、ブラウザ、アドレス帳、スケジュール、メモ帳、ファイルビューア、アクセサリー、システム、及び設定等のアプリケーション名がアイコンとともに表示される。つまり、記憶部２２にはこれらメニュー項目に関するアプリケーションプログラム（アプリケーションソフト）が格納されていることになる。
【００３６】
図３（ａ）はメニュー項目が略円筒状（略弧状）で３次元的に表示される第１の表示モード、図３（ｂ）はメニュー項目が画面奥行き方向に傾斜した略平板状で３次元的に奥行感をもって表示される第２の表示モード、図３（ｃ）は、平面状にメニュー項目が表示される第３の表示モードを示している。つまり、図３（ａ）又は（ｂ）ではメニュー項目は恰も３次元的に表示されており、図３（ｃ）ではメニュー項目は２次元的に表示されている。
【００３７】
これら表示モードを切り替える際には、モード切り替えアイコン３１をタップ操作することによって、例えば、第１の表示モード、第２の表示モード、第３の表示モード、第１の表示モード、…のように順次表示モードが切り替わる。
【００３８】
第１〜第３のいずれの表示モードにおいても、ランチャ画面の下側にはタスクバー３２が表示され、上側には、タイトルバー３３が表示される。そして、前述のモード切り替えアイコン３１はタイトルバー３３に設けられており、タスクバー３２とタイトルバー３３との間にはウインドウ表示部（メニュー項目表示部）３４が規定されている。
【００３９】
いま、サイドコントローラ１３を基準から上側に操作（回動又は揺動）すると、サイドコントローラ操作検出部２３ではこの上側操作を検知して、上側操作信号をＣＰＵ２１に与える。これによって、ＣＰＵ２１は、ランチャ画面においてカーソル３７を上側に移動させることになる。
【００４０】
また、サイドコントローラ１３を基準から下側に操作すると、サイドコントローラ操作検出部２３ではこの下側操作を検知して、下側操作信号をＣＰＵ２１に与える。これによって、ＣＰＵ２１は、ランチャ画面においてカーソル３７を下側に移動させることになる。
【００４１】
そして、メニュー項目の一つにカーソル３７を位置づけて、サイドコントローラ１３を押圧すると、サイドコントローラ操作検出部２３ではこの押圧操作を検知して、押圧操作信号をＣＰＵ２１に与える。これによって、ＣＰＵ２１は、カーソル３７が位置するメニュー項目を選択して、この選択したメニュー項目に係るアプリケーションプログラムが起動されて、当該メニュー項目に係る操作画面に遷移する。
【００４２】
なお、図３（ａ）に示すように、第１のモードにおいては、ランチャ画面の左上及び左下にそれぞれ上及び下スクロールボタン３５及び３６が表示され、第２のモードにおいては、ランチャ画面の中央上及び中央下にそれぞれ上及び下スクロールボタン３５及び３６が表示される。また、第３のモードにおいては、ランチャ画面の左上及び左下にそれぞれ上及び下スクロールボタン３５及び３６が表示される。
【００４３】
これら上及び下スクロールボタン３５及び３６をタップ操作すると、ランチャ画面が上及び下方向にスクロールされて、カーソル３７を所望のメニュー項目に位置づけることができる。ランチャ画面において、最も上側に位置するメニュー項目（メール）にカーソル３７が位置づけられると、上スクロールボタン３５は画面から消える。同様に、最も下側に位置するメニュー項目（アプリケーションＢ）にカーソル３７が位置づけられると、下スクロールボタン３６は画面から消える。
【００４４】
ここで、図３及び図４を参照して、いま、ランチャ画面において図３の（ａ）〜（ｃ）の各画面においてサイドコントローラ１３を揺動操作して、メニュー項目：アクセサリーにカーソル（フォーカス）を位置づけた後、サイドコントローラ１３の押圧操作をするか、そのまま予め規定された時間が経過すると、ＣＰＵ２１は図４（ａ）〜（ｇ）に示すアクセサリー操作画面（メニュー画面）を順に液晶パネル１２に表示する。つまり、上位のメニュー画面であるランチャ画面において、アクセサリーにカーソルを位置づけた後、例えば予め規定された時間が経過すると、ＣＰＵ２１は下位のメニュー画面であるアクセサリー操作画面に遷移する。
【００４５】
このアクセサリー操作画面には、その下側にタスクバー３２が表示され、上側には、タイトルバー３３が表示される。そして、前述のモード切り替えアイコン３１がタイトルバー３３に設けられており、モード切り替えアイコン３１をタップ操作すると、アクセサリー操作画面の表示モードが前述のランチャ画面における第１〜第３のモードと同様にして切り替わる（ここでは、表示モードの切り替えは本発明と直接的に関係ないので、説明を省略することとする）。そして、タスクバー３２とタイトルバー３３との間にはウインドウ表示部（メニュー項目表示部）４１が規定されている。
【００４６】
ウインドウ表示部４１の左側には、ランチャ画面におけるメニュー項目（メール、ブラウザ、アドレス帳、スケジュール、メモ帳、ファイルビューア、アクセサリー、システム等）を示すアイコン４０がそれぞれ上下方向に配列されるとともに、前述の上及び下スクロールボタン３５及び３６が表示されている。上及び下スクロールボタン３５及び３６をタップ操作すると、アイコン４０間をカーソル３７（図４には示さず）が移動する。
【００４７】
なお、アクセサリー操作画面が表示されている際には、アクセサリーを示すアイコン４０上にカーソル３７（図４には示さず）が位置している。
【００４８】
また、ウインドウ表示部４１の上端及び下端にはそれぞれ上及び下スクロールボタン４１ａ及び４１ｂが表示され、上及び下スクロールボタン４１ａ及び４１ｂをタップ操作することによってカーソル５１を後述する窓枠部間でそれぞれ上下方向に移動させることができる。
【００４９】
さらに、ＣＰＵ２１はウインドウ表示部４１に２辺が凹設した少なくとも一つの窓枠部４２を表示する。図示の例では、８つの窓枠部４２が図中上下方向に所定の間隔をおいて配列されており、各窓枠部４２は、第１の表示枠４２ａと第１の表示枠よりもその幅が小さい第２の表示枠４２ｂとを有している。
【００５０】
ＣＰＵ２１は上述のようにして図４（ａ）のアクセサリー操作画面を表示した後、図４（ｂ）に示す表示状態を経て、図４（ｃ）に示す表示状態へとアクセサリー操作画面を順次変化させる。図４（ｃ）に示す状態では、アクセサリーに属するメニュー項目（下位メニュー項目）がそのアイコン及びメニュー項目名とともに微かに浮きででおり、そのアイコンとメニュー項目名の文字のサイズは小さい。そして、図４（ｃ）に示す状態では、窓枠部４２にとらわれることなく、ウインドウ表示部４１に下位メニュー項目が浮きでている。
【００５１】
なお、下位メニュー項目として、このアクセサリー操作画面においては、例えば、手書きメモ、目覚まし時計、世界時計、電卓、及びチュートリアルがある。
【００５２】
さらに、ＣＰＵ２１はアクセサリー操作画面を図４（ｄ）に示す状態とする。図４（ｄ）に示す状態では、下位メニュー項目（つまり、アイコン及びメニュー項目名）が徐々に拡大（ズームアップ）されるとともに表示が若干鮮明となっている。
【００５３】
さらに、ＣＰＵ２１は下位メニュー項目（アイコン及びメニュー項目名）をズームアップするとともに各メニュー項目を窓枠部４２の方向に移動させる。この際には、ズームアップは完了し、アイコン５２及びメニュー項目名５３はほぼ鮮明となっている（図４（ｅ）参照）。
【００５４】
そして、ＣＰＵ２１はアイコン５２及びメニュー項目名５３を鮮明にして、アクセサリー操作画面の上側から順に、窓枠部４２に下位メニュー項目を位置づけ（図４（ｆ）参照）、最終的に図４（ｇ）に示すアクセサリー操作画面を表示する。図４（ｇ）に示す状態では、第１の表示枠４２ａ内にアイコンが表示され、第２の表示枠４２ｂ内にメニュー項目名が表示される。
【００５５】
図４（ｇ）に示す状態において、サイドコントローラ１３を揺動操作すると、カーソル５１が各窓枠部４２間を移動し、所望の窓枠部４２、つまり、下位メニュー項目にカーソル５１を位置づけた後、サイドコントローラ１３を押し込み操作すると、ＣＰＵ２１はカーソル５１が位置づけられたメニュー項目に対応するアプリケーションを起動して、当該アプリケーションの操作画面に遷移する。
【００５６】
上述の例では、上位メニュー画面であるランチャ画面から下位メニュー画面であるアクセサリー操作画面に遷移する際の下位メニュー項目の表示制御について説明したが、アクセサリー操作画面に遷移する場合だけではなく、ランチャ画面からアクセサリー操作画面以外の他の下位メニュー画面に遷移する際においても、当該下位メニュー画面が複数の下位メニュー項目を有していれば、アクセサリー操作画面と同様にして、下位メニュー項目の表示制御が行われる。
【００５７】
さらに、例えば、アクセサリー操作画面が表示されている際、上又は下スクロールボタン３５又は３６をタップ操作して、アクセサリーを示すアイコン４０以外のアイコンにカーソルを位置づけると、ＣＰＵ２１は画面表示を切り替える。
【００５８】
具体的には、ランチャ画面上のメニュー項目に対応する下位メニュー画面が複数の下位メニュー項目を有していれば、前述のようにして、下位メニュー項目の表示制御が行われる。
【００５９】
一方、ランチャ画面上のメニュー項目に対応する下位メニュー画面が複数の下位メニュー項目を有していないと、ＣＰＵ２１は直にそのメニュー項目に対応するアプリケーションを起動して、当該アプリケーションの操作画面に遷移する。
【００６０】
さらに、ランチャ画面を表示する際においても、アクセサリー操作画面と同様にして、メニュー項目を表示するようにしてもよい。つまり、ランチャ画面において第３のモードが選択されている際には、電源をオンした際等に、アクセサリー操作画面と同様にして、メニュー項目を表示制御するようにしてもよい。
【００６１】
ところで、前述のように、ランチャ画面において、メニュー項目：アクセサリーにカーソルを位置づけた後、予め規定された時間が経過すると、図４で説明したようにして、ＣＰＵ２１は下位メニュー項目の表示制御を行うことになるが、例えば、予め規定された時間以内にサイドコントローラ１３が押し込み操作されると、ＣＰＵ２１は図４で説明した表示制御を行うことなく、直ちに、図４（ｇ）に示すアクセサリー操作画面を液晶パネル１２に表示するようにしても良い。
【００６２】
このようにして、メニュー画面上に窓枠部を規定して、メニュー項目を徐々にズームアップさせて、窓枠部内に表示するようにしたから、視認性を良好にすることができることになり、しかも、メニュー項目は窓枠部内に位置づけられるから、メニュー項目選択の際視認性が良好となって、カーソル移動の際の操作性が向上する。
【００６３】
また、メニュー項目をズームアップする際、メニュー項目を徐々に鮮明な状態とするようにしたので、ユーザはメニュー項目の表示を楽しむことができる。
【００６４】
さらに、下位に位置するメニュー画面に遷移させる際、予め規定された時間を越えると、前述のようにして、下位のメニュー項目を徐々にズームアップさせて、窓枠部内に表示し、予め規定された時間以内であると、ズームアップを行うことなく、直ちに所定のサイズで下位メニュー項目を表示するようにしたから、ユーザは選択的に表示制御を用いることができ、例えば、ユーザが急いでいる際には、直ちに所定のサイズで下位メニュー項目が表示された下位メニュー画面を表示させることができる。
【００６５】
【発明の効果】
以上説明したように、本発明では、メニュー画面上に窓枠部を規定して、メニュー項目を徐々にズームアップさせて、窓枠部内に表示するようにしたから、視認性を良好にすることができ、しかもメニュー項目の選択・起動の際の操作性を向上できるという効果がある。
【図面の簡単な説明】
【図１】本発明による携帯情報端末装置の一例の外観を示す斜視図である。
【図２】図１に示す携帯情報端末装置で用いられる制御系の一例を示すブロック図である。
【図３】図１に示す携帯情報端末装置に表示されるランチャ画面の例を示す図であり、（ａ）は第１のモードによるランチャ画面を示す図、（ｂ）は第２のモードによるランチャ画面を示す図、（ｃ）は第３のモードによるランチャ画面を示す図である。
【図４】ランチャ画面の下位メニュー画面であるアクセサリー操作画面におけるメニュー表示制御を説明するための図であり、（ａ）〜（ｇ）はアクセサリー操作画面におけるメニュー項目の表示遷移を示す図である。
【符号の説明】
１１　外装ケース
１２　液晶パネル
１３　コントロールスイッチ（サイドコントローラ）
１４　エスケープスイッチ
１５　電源オン／オフスイッチ（電源スイッチ）
１６　挿入スロット
１７　外部接続ターミナル
１８　タッチペン（スタイラスペン）
１９　収納部
２１　中央処理装置（ＣＰＵ）
２２　記憶部
２３　サイドコントローラ操作検出部
２４　エスケープスイッチ操作検出部
２５　電源スイッチ操作検出部
２６　タッチパネル操作検出部
２７　液晶パネル駆動部
【図１】
2004062649.tif 000003
【図２】
2004062649.tif 000004
【図３】
2004062649.tif 000005
【図４】
2004062649.tif 000006